(57)【要約】【課題】  原稿押圧板の開閉によって原稿が移動した場合でも原稿サイズを正確に検知することができる原稿サイズ検知装置を提供する。【解決手段】  原稿載置台上に載置された原稿から画像を読み取るためのリニアイメージセンサと、原稿載置台の上面に原稿を押圧するための開閉可能な原稿押圧板と、原稿押圧板の所定の開角度を検出するための第一原稿押圧板検出手段と、原稿押圧板の閉状態を検出するための第二原稿押圧板検出手段と、原稿載置台上の原稿のサイズを検知する反射型原稿サイズ検知センサと、リニアイメージセンサによる読み取り画像に基づいて原稿載置台上の原稿のサイズを判定するＣＰＵとを有する。【選択図】        図３
2006135856.tif 000002
【特許請求の範囲】
【請求項１】
原稿を照射するための光源と、原稿の反射光を光電変換するためのイメージセンサと、原稿の反射光をイメージセンサに導くための光学系とを用いて、原稿台ガラス上に搭載された原稿上の画像を読み取る画像形成装置に搭載されたイメージセンサを用いて原稿サイズを検知する原稿サイズ検知装置において、
前記原稿台ガラス上に搭載された原稿を押さえる原稿押圧板と、所定の原稿サイズを検知するための複数の原稿サイズ検知エリアと、前記原稿サイズ検知エリア中に配置され各々の位置の原稿の有無を検知するための少なくとも２つ以上の原稿サイズ検知ポイントと、前記原稿押圧板の開状態と閉状態との前記イメージセンサによる読み取り画像を比較することで前記各原稿サイズ検知ポイントにおける原稿の有無を判定する原稿有無判定手段と、前記原稿サイズ検知エリアごとに前記原稿有無判定結果の論理和演算を行って前記原稿サイズ検知エリアごとの原稿の有無を判定するための論理和演算手段と、前記各原稿サイズ検知エリアの論理和演算結果から原稿サイズを判定する原稿サイズ判定手段とを有することを特徴とする原稿サイズ検知装置。
【請求項２】
請求項１に記載の原稿サイズ検知装置において、前記原稿サイズ検知装置における論理和演算手段は、前記少なくとも２つ以上の原稿サイズ検知ポイントの原稿有り判定結果の論理和演算を行うことを特徴とする原稿サイズ検知装置。
【請求項３】
請求項１に記載の原稿サイズ検知装置において、前記原稿サイズ検知装置における原稿サイズ判定手段は、原稿搭載基準位置より遠い原稿サイズ検知エリアの原稿有り判定結果を優先して原稿サイズ判定を行うことを特徴とする原稿サイズ検知装置。
【請求項４】
請求項１に記載の原稿サイズ検知装置において、前記原稿サイズ検知装置における原稿有無判定手段は、前記原稿押圧板の開時の画像読み取りデータと閉時の画像読み取りデータを所定の閾値によって白と黒の二値化データに変換し、原稿押圧板の開時と閉時の二値化データが黒から白に変化した場合に原稿無しと判定し、それ以外を原稿有りと判定することを特徴とする原稿サイズ検知装置。
【請求項５】
請求項１に記載の原稿サイズ検知装置において、外乱光の有無を検出する外乱光検出手段を有し、前記外乱光検出手段により外乱光有りと判断された場合に当該原稿サイズ検知ポイントを除外して原稿サイズを判断することを特徴とする原稿サイズ検知装置。
【請求項６】
請求項１に記載の原稿サイズ検知装置において、前記原稿サイズ検知装置における少なくとも２つ以上の原稿サイズ検知ポイントにおいて、原稿サイズ検知ポイントの１つは、判定される所定原稿の余白領域における原稿の有無を判定可能な位置に配置されることを特徴とする原稿サイズ検知装置。
【請求項７】
原稿を照射するための光源と、原稿の反射光を光電変換するためのイメージセンサと、原稿の反射光をイメージセンサに導くための光学系とを用いて原稿台ガラス上に搭載された原稿上の画像を読み取る画像形成装置に搭載されたイメージセンサを用いて原稿サイズを検知する原稿サイズ検知装置において、
前記原稿台ガラス上に搭載された原稿を押さえる原稿押圧板と、所定の原稿サイズを検知するための複数の原稿サイズ検知エリアと、前記原稿サイズ検知エリア中に配置され各々の位置の原稿の有無を検知するための少なくとも２つ以上の原稿サイズ検知ポイントを有し、前記原稿押圧板の開状態と閉状態との前記イメージセンサによる読み取り画像を比較することで前記各原稿サイズ検知ポイントにおける原稿の有無を判定するステップと、前記原稿サイズ検知エリアごとの原稿有無判定結果の論理和演算を行って前記原稿サイズ検知エリアごとの原稿の有無を判定するステップと、前記各原稿サイズ検知エリアの論理和演算結果から原稿サイズを判定するステップとから成る原稿サイズ判定制御手段を有することを特徴とする原稿サイズ検知装置。
【請求項８】
請求項７に記載の原稿サイズ検知装置において、前記原稿サイズ検知装置における原稿サイズ判定制御手段は、前記少なくとも２つ以上の原稿サイズ検知ポイントの原稿有り判定結果の論理和演算を行うことを特徴とする原稿サイズ検知装置。
【請求項９】
請求項７に記載の原稿サイズ検知装置において、前記原稿サイズ検知装置における原稿サイズ判定制御手段は、原稿搭載基準位置より遠い原稿サイズ検知エリアの原稿有り判定結果を優先して原稿サイズ判定を行うことを特徴とする原稿サイズ検知装置。
【請求項１０】
請求項７に記載の原稿サイズ検知装置において、前記原稿サイズ検知装置における原稿有無判定制御手段は、前記原稿押圧板の開時の画像読み取りデータと閉時の画像読み取りデータを所定の閾値によって白と黒の二値化データに変換し、原稿押圧板の開時と閉時の二値化データが黒から白に変化した場合に原稿無しと判定し、それ以外を原稿有りと判定することを特徴とする原稿サイズ検知装置。
【請求項１１】
請求項７に記載の原稿サイズ検知装置において、前記原稿サイズ検知装置における原稿有無判定制御手段は、外乱光の有無を検出する外乱光検出ステップを有し、外乱光有りと判断された場合に当該原稿サイズ検知ポイントを除外して原稿サイズを判断することを特徴とする原稿サイズ検知装置。
【請求項１２】
請求項７に記載の原稿サイズ検知装置において、前記原稿サイズ検知装置における少なくとも２つ以上の原稿サイズ検知ポイントにおいて、原稿サイズ検知ポイントの１つは、判定される所定原稿の余白領域における原稿の有無を判定可能な位置に配置されることを特徴とする原稿サイズ検知装置。
【発明の詳細な説明】
【技術分野】
【０００１】
本発明は、デジタル複写機、スキャナ装置、ファクシミリ装置等で画像読取対象の原稿のサイズを検知するための原稿サイズ検知装置に関する。
【背景技術】
【０００２】
従来、画像読取対象の原稿のサイズを検知する装置には多種多様な方式があるが、例えば、原稿の先端部を光源で照射し、前記原稿からの反射光をＣＣＤ（電荷結合素子）センサで読み取り、また、副走査方向に原稿サイズ検知センサを配置し、これら二つのセンサの読み取り結果に基づき原稿のサイズを検知するようにした原稿サイズ検知装置が知られている（例えば、特許文献１参照）。
【０００３】
このように主走査幅検知に対して原稿読み取り用のＣＣＤセンサを使用して原稿のサイズを検知することにより、原稿サイズ検知センサの設置数を少なくでき、低コストで且つ効率的な原稿サイズの検知が行える。
【０００４】
また、上記の方式では、原稿の地肌濃度や原稿を原稿載置台の上面に押圧するための開閉可能な原稿押圧板の表面色等の影響を受けてしまい、正確な原稿サイズ検知が行えない虞があるため、より正確な原稿サイズ検知を可能にした原稿サイズ検知装置も知られている（例えば、特許文献２参照）。
【０００５】
これは、例えば、原稿押圧板の開閉状態を認識すると共に、原稿押圧板が開いている状態と閉じた後の状態とで、ＣＣＤセンサによる読み取り結果を比較することで、原稿の地肌濃度等による影響を極力排除しつつ、その原稿のサイズ検知を精度良く行うことを可能にする方式である。
【０００６】
また、上記の方式では、外乱光が入射する環境下では、その影響によって正確な原稿サイズ検知が行えない虞があるため、外乱光に強い原稿サイズ検知を可能にした原稿サイズ検知装置も知られている（例えば、特許文献３参照）。
【０００７】
これは、例えば、光源を消灯した状態のＣＣＤセンサの読み取り結果に基づいて外乱光の有無を判断し、外乱光有りと判断した原稿サイズ検知ポイントを検知から除外して原稿サイズ検知を行い、原稿サイズを判断する制御を行うことで外乱光に強い原稿サイズ検知を実現する方式である。
【特許文献１】特開平５−２０７２３９号公報
【特許文献２】特開２０００−３２１６８４号公報
【特許文献３】特開２００１−３４６００９号公報
【発明の開示】
【発明が解決しようとする課題】
【０００８】
ところが、従来の画像読取装置では、原稿押圧板が開いている状態と閉じた後の状態とで原稿が移動してしまうことで、原稿サイズの誤検知が発生する問題があった。
【０００９】
例えば、原稿押圧板を閉じる速度が速い場合、それによる風圧によって原稿が移動してしまい、また、本や雑誌等の綴じ代のある原稿が原稿載置台上に載置された場合、原稿押圧板を閉じる時に綴じ代を押してしまうことで、結果的に原稿押圧板が開いている状態と閉じた後の状態とで読み取り位置が変化してしまう。
【００１０】
また、原稿上に罫線などがあり、罫線が主走査方向の原稿サイズ検知位置に存在する場合、上記の原稿移動が発生すると原稿サイズを誤検知することになる。
【００１１】
これにより、主走査方向の原稿サイズを原稿よりも小さいサイズと誤検知してしまう、もしくは、原稿のサイズを検知できない場合もある。
【００１２】
本発明は、上述した従来の技術の有する問題点を解決するためになされたものであり、その目的は、原稿押圧板の開閉によって原稿が移動した場合でも、原稿サイズの誤検知を極力避けることができる原稿サイズ検知装置を提供することである。
【課題を解決するための手段】
【００１３】
上記目的を達成するために、本発明は下記の構成を備える。
【００１４】
（１）原稿を照射するための光源と、原稿の反射光を光電変換するためのイメージセンサと、原稿の反射光をイメージセンサに導くための光学系とを用いて、原稿台ガラス上に搭載された原稿上の画像を読み取る画像形成装置に搭載されたイメージセンサを用いて原稿サイズを検知する原稿サイズ検知装置において、前記原稿台ガラス上に搭載された原稿を押さえる原稿押圧板と、所定の原稿サイズを検知するための複数の原稿サイズ検知エリアと、前記原稿サイズ検知エリア中に配置され各々の位置の原稿の有無を検知するための少なくとも２つ以上の原稿サイズ検知ポイントと、前記原稿押圧板の開状態と閉状態との前記イメージセンサによる読み取り画像を比較することで前記各原稿サイズ検知ポイントにおける原稿の有無を判定する原稿有無判定手段と、前記原稿サイズ検知エリアごとに前記原稿有無判定結果の論理和演算を行って前記原稿サイズ検知エリアごとの原稿の有無を判定するための論理和演算手段と、前記各原稿サイズ検知エリアの論理和演算結果から原稿サイズを判定する原稿サイズ判定手段とを有することを特徴とする原稿サイズ検知装置。
【００１５】
（２）前記（１）に記載の原稿サイズ検知装置において、前記原稿サイズ検知装置における論理和演算手段は、前記少なくとも２つ以上の原稿サイズ検知ポイントの原稿有り判定結果の論理和演算を行うことを特徴とする原稿サイズ検知装置。
【００１６】
（３）前記（１）に記載の原稿サイズ検知装置において、前記原稿サイズ検知装置における原稿サイズ判定手段は、原稿搭載基準位置より遠い原稿サイズ検知エリアの原稿有り判定結果を優先して原稿サイズ判定を行うことを特徴とする原稿サイズ検知装置。
【００１７】
（４）前記（１）に記載の原稿サイズ検知装置において、前記原稿サイズ検知装置における原稿有無判定手段は、前記原稿押圧板の開時の画像読み取りデータと閉時の画像読み取りデータを所定の閾値によって白と黒の二値化データに変換し、原稿押圧板の開時と閉時の二値化データが黒から白に変化した場合に原稿無しと判定し、それ以外を原稿有りと判定することを特徴とする原稿サイズ検知装置。
【００１８】
（５）前記（１）に記載の原稿サイズ検知装置において、外乱光の有無を検出する外乱光検出手段を有し、前記外乱光検出手段により外乱光有りと判断された場合に当該原稿サイズ検知ポイントを除外して原稿サイズを判断することを特徴とする原稿サイズ検知装置。
【００１９】
（６）前記（１）に記載の原稿サイズ検知装置において、前記原稿サイズ検知装置における少なくとも２つ以上の原稿サイズ検知ポイントにおいて、原稿サイズ検知ポイントの１つは、判定される所定原稿の余白領域における原稿の有無を判定可能な位置に配置されることを特徴とする原稿サイズ検知装置。
【００２０】
（７）原稿を照射するための光源と、原稿の反射光を光電変換するためのイメージセンサと、原稿の反射光をイメージセンサに導くための光学系とを用いて原稿台ガラス上に搭載された原稿上の画像を読み取る画像形成装置に搭載されたイメージセンサを用いて原稿サイズを検知する原稿サイズ検知装置において、前記原稿台ガラス上に搭載された原稿を押さえる原稿押圧板と、所定の原稿サイズを検知するための複数の原稿サイズ検知エリアと、前記原稿サイズ検知エリア中に配置され各々の位置の原稿の有無を検知するための少なくとも２つ以上の原稿サイズ検知ポイントを有し、前記原稿押圧板の開状態と閉状態との前記イメージセンサによる読み取り画像を比較することで前記各原稿サイズ検知ポイントにおける原稿の有無を判定するステップと、前記原稿サイズ検知エリアごとの原稿有無判定結果の論理和演算を行って前記原稿サイズ検知エリアごとの原稿の有無を判定するステップと、前記各原稿サイズ検知エリアの論理和演算結果から原稿サイズを判定するステップとから成る原稿サイズ判定制御手段を有することを特徴とする原稿サイズ検知装置。
【００２１】
（８）前記（７）に記載の原稿サイズ検知装置において、前記原稿サイズ検知装置における原稿サイズ判定制御手段は、前記少なくとも２つ以上の原稿サイズ検知ポイントの原稿有り判定結果の論理和演算を行うことを特徴とする原稿サイズ検知装置。
【００２２】
（９）前記（７）に記載の原稿サイズ検知装置において、前記原稿サイズ検知装置における原稿サイズ判定制御手段は、原稿搭載基準位置より遠い原稿サイズ検知エリアの原稿有り判定結果を優先して原稿サイズ判定を行うことを特徴とする原稿サイズ検知装置。
【００２３】
（１０）前記（７）に記載の原稿サイズ検知装置において、前記原稿サイズ検知装置における原稿有無判定制御手段は、前記原稿押圧板の開時の画像読み取りデータと閉時の画像読み取りデータを所定の閾値によって白と黒の二値化データに変換し、原稿押圧板の開時と閉時の二値化データが黒から白に変化した場合に原稿無しと判定し、それ以外を原稿有りと判定することを特徴とする原稿サイズ検知装置。
【００２４】
（１１）前記（７）に記載の原稿サイズ検知装置において、前記原稿サイズ検知装置における原稿有無判定制御手段は、外乱光の有無を検出する外乱光検出ステップを有し、外乱光有りと判断された場合に当該原稿サイズ検知ポイントを除外して原稿サイズを判断することを特徴とする原稿サイズ検知装置。
【００２５】
（１２）前記（７）に記載の原稿サイズ検知装置において、前記原稿サイズ検知装置における少なくとも２つ以上の原稿サイズ検知ポイントにおいて、原稿サイズ検知ポイントの１つは、判定される所定原稿の余白領域における原稿の有無を判定可能な位置に配置されることを特徴とする原稿サイズ検知装置。
【発明の効果】
【００２６】
本発明の原稿サイズ検知装置によれば、原稿押圧板の開閉によって原稿が移動した場合でも、原稿サイズの誤検知を極力避けることができるという効果を奏する。
【発明を実施するための最良の形態】
【００２７】
以下、本発明の各実施の形態を、図面に基づき説明する。
【実施例】
【００２８】
本発明の実施の形態について、図１乃至図７に基づき説明する。
【００２９】
図１は、本実施の形態に係る原稿サイズ検知装置を適用した画像読取装置の構成を示す模式的な側面図であり、同図に示す画像読取装置は、リニアイメージセンサを用い且つ自動原稿送り装置を備えた構成である。
【００３０】
図１において、１００は画像読取装置、１０１は原稿照明ランプ（光源）、１０２〜１０４はそれぞれ第１〜第３ミラー、１０５はレンズ、１０６はリニアイメージセンサ、１０７は透明ガラスから成る原稿載置台、１０８は原稿、１０９はシェーディング補正用の基準となる白色板、１１０は原稿１０８の副走査方向のサイズを検知するための原稿サイズ検知センサ（反射型センサ）である。１１１は自動原稿送り装置、１１２は自動原稿搬送ベルト、１１３は駆動ローラ、１１４は原稿束、１１５は原稿照明ランプ１０１と第１ミラー１０２とを収納した光学台である。
【００３１】
このような構成の画像読取装置１００においては、第１〜第３ミラー１０２〜１０４及び原稿照明ランプ１０１の光学系を図１の矢印Ｓ方向に移動することで、光学的なスキャン（副走査スキャン）を行い、原稿１０８を二次元的に読み取ることができる。
【００３２】
また、自動原稿送り装置１１１は、原稿束１１４の原稿を１枚ずつ画像読取装置１００の原稿載置台１０７上へ送る装置であり、駆動ローラ１１３で自動原稿搬送ベルト１１２を回転させることにより、原稿を所定方向へ搬送することができる。
【００３３】
自動原稿送り装置１１１を使用しない場合は、原稿を原稿載置台１０７上に載置するために自動原稿送り装置１１１を開閉し得るようになっている。この自動原稿送り装置１１１の開状態の所定角度を検知するための第１開閉センサ（図示省略）を備えている。この第１開閉センサは、自動原稿送り装置１１１の開角度が約３０°であることを検知するものである。また、自動原稿送り装置１１１の開閉状態を検知するための第２開閉センサ（図示省略）を備えている。この第２開閉センサは、自動原稿送り装置１１１の開角度が約５°以下である（閉じている状態である）ことを検知するものである。
【００３４】
また、原稿載置台１０７上に原稿１０８を載置した状態において、自動原稿送り装置１１１を閉じると、この自動原稿送り装置１１１により原稿１０８が原稿載置台１０７の上面に押圧されるようになっており、従って、自動原稿送り装置１１１は、原稿１０８を原稿載置台１０７の上面に押圧するための原稿押圧板を兼ねている。
【００３５】
図２は、本実施の形態に係る原稿サイズ検知装置を適用した画像読取装置１００の要部構成を示すブロック図である。
【００３６】
図２において、２０１はＣＰＵ（中央演算処理装置）で、画像読取装置１００全体の制御を司るものである。２０２は増幅器で、リニアイメージセンサ１０６からの画像信号を増幅するものである。２０３はＡ／Ｄ変換器で、増幅器２０２からの画像信号をＡ／Ｄ変換するものである。２０４はシェーディング補正回路で、Ａ／Ｄ変換器２０３によってデジタル化された画像データに対してシェーディング補正処理を行うものである。
【００３７】
２０５は画像加算回路で、シェーディング補正回路２０４によりシェーディング補正処理後の画像データを所定ライン数累積加算するものである。２０６は主走査加算平均回路で、主走査方向の画像を所定の領域について加算して平均化するものである。２０７は加算器、２０８は画像メモリ、２０９はモータで、光学台１１５（図３）を駆動するものである。
【００３８】
画像メモリ２０８は、ＣＰＵ２０１からアクセス可能であり、複数の所定領域の画像を所定ライン数分だけ記憶できる容量である。本実施の形態においては、後述する主走査方向１０ポイントについて、１６ライン分の画像データを累積加算できる容量である。
【００３９】
尚、主走査加算平均回路２０６は、上記１０ポイントの領域のそれぞれにおいて、主走査方向１２８画素の平均化を行う。
【００４０】
図３は、本実施の形態に係る原稿サイズ検知装置を適用した画像読取装置の原稿載置台１０７上における原稿サイズ判定に用いる検知ポイントを示す上面図であり、同図に示すように、原稿載置台１０７の所定位置には、原稿サイズラベル３０１，３０２及び原稿合わせマーク３０３が設けられている。
【００４１】
また、図３に示すように、原稿副走査方向サイズ検知のための原稿サイズ検知センサ１１０を図示の検知ポイント〔１１〕に配置し、原稿主走査方向サイズ検知のために光学台１１５を原稿載置台１０７上の図示の位置に配置して複数の検知ポイント〔１〕〜〔１０〕をリニアイメージセンサ１０６にて読み取り、原稿副走査方向サイズの検知結果と原稿主走査方向サイズの検知結果の両方によって、原稿１０８のサイズを判定する。
【００４２】
検知エリア（ｉ）はＡ５Ｒの原稿サイズを判別するための検知エリアであり検知ポイント〔１〕および〔２〕を含み、検知エリア（ｉｉ）はＢ６およびＢ５Ｒの原稿サイズを判別するための検知エリアであり検知ポイント〔３〕および〔４〕を含み、検知エリア（ｉｉｉ）はＡ５およびＡ４Ｒの原稿サイズを判別するための検知エリアであり検知ポイント〔５〕および〔６〕を含み、検知エリア（ｉｖ）はＢ５およびＢ４の原稿サイズを判別するための検知エリアであり検知ポイント〔７〕および〔８〕を含み、検知エリア（ｖ）はＡ４およびＡ３の原稿サイズを判別するための検知エリアであり検知ポイント〔９〕および〔１０〕を含む。
【００４３】
検知ポイント〔１〕〔３〕〔５〕〔７〕〔９〕の位置は、判定可能な原稿サイズの主走査方向端部間のおおよそ中間に配置する。例えば、〔９〕はＡ４／Ａ３サイズ（２９７ｍｍ）とＢ５／Ｂ４サイズ（２５７ｍｍ）の中間である２７７ｍｍ付近に配置する。これは従来と同じであるが、原稿載置台１０７の手前側寄り（図の下側）に配置した場合、
（１）ユーザによって正確に原稿が搭載されない、
（２）原稿端部のカールなどによって原稿浮きが発生する、
（３）外乱光の影響を受けやすい、
などの要因によって誤検知が発生しやすく、また、原稿載置台１０７の奥側寄り（図の上側）に配置した場合も、ユーザによって正確に原稿が搭載されないなどの要因によって誤検知が発生しやすいためである。
【００４４】
また、検知ポイント〔２〕〔４〕〔６〕〔８〕〔１０〕の位置は、判定可能な原稿サイズの主走査方向端部からおおよそ５ｍｍ内側に配置する。例えば、〔１０〕はＡ４／Ａ３サイズ（２９７ｍｍ）の５ｍｍ内側である２９２ｍｍ付近に配置する。これは原稿押圧板の開閉によって原稿が移動した場合の誤検知対策の一つであるが、原稿の余白領域を用いて原稿の有無を判定するためであり、余白領域には文字や罫線などが存在する確率が低く、その影響を受け難いためである。
【００４５】
そして、検知ポイント〔１〕および〔２〕、検知ポイント〔３〕および〔４〕、検知ポイント〔５〕および〔６〕、検知ポイント〔７〕および〔８〕、検知ポイント〔９〕および〔１０〕について各々論理和を取ったものをそれぞれ検知エリア（ｉ）、検知エリア（ｉｉ）、検知エリア（ｉｉｉ）、検知エリア（ｉｖ）、検知エリア（ｖ）の原稿有無検知結果にすることで、誤検知する確率を上げることなく原稿押圧板の開閉によって原稿が移動した場合の誤検知対策を実現できる。
【００４６】
図４は、検知エリア（ｉ）について着目した検知ポイント〔１〕の検知結果と検知ポイント〔２〕の検知結果とに基づく検知エリア（ｉ）の原稿有無判定結果の一例を示す図である。原稿押圧板の開閉状態を認識すると共に、原稿押圧板が開いている状態と閉じた後の状態とで、リニアイメージセンサによる読み取り結果を所定のスレッシュレベルによって黒と白に二値化した結果を比較し、その状態が「黒→白」に変化した場合を「原稿無し」、それ以外の場合を「原稿有り」と判定する。
【００４７】
通常、検知エリアに原稿が無い場合、原稿押圧板が開いている状態では「黒」と検知され、原稿押圧板が閉じている状態では「白」と検知される。よって、原稿押圧板の開閉で「白→黒」、「白→白」、「黒→黒」と検知された場合は、検知エリアに原稿が存在することになる。
【００４８】
図５は、検知エリア（ｉ）から（ｖ）の検知結果に基づく原稿主走査方向サイズの検知結果の一例を示す図である。検知エリア（ｉ）から（ｖ）について、検知エリア（ｖ）の方向の「原稿有り」が優先され、原稿主走査方向サイズが決定される。
【００４９】
図６は、原稿主走査方向サイズの検知結果と原稿副走査方向サイズの検知結果とに基づく原稿サイズ判定結果の一例を示す図である。例えば、原稿主走査方向サイズが「Ａ４／Ａ３」であり、原稿主走査方向の検知結果が「原稿無し」である場合は、原稿サイズは「Ａ４」と判定される。
【００５０】
次に、本実施の形態に係る原稿サイズ検知装置を適用した画像読取装置における原稿サイズ検知処理動作について、図７を用いて説明する。
【００５１】
図７は、本実施の形態に係る原稿サイズ検知装置を適用した画像読取装置における原稿サイズ検知処理動作の流れを示すフローチャートである。
【００５２】
まず、ステップＳ７０１では、原稿押圧板を兼ねる自動原稿送り装置１１１が開いているか否かを、第１開閉センサおよび第２開閉センサの検出結果を基に、開くまで判断する。そして、この第１開閉センサおよび第２開閉センサがＯＦＦになって自動原稿送り装置１１１が開いたと判断された場合は、次のステップＳ７０２へ進む。
【００５３】
ステップＳ７０２では、光学台１１５を原稿サイズ検知位置に移動する。本実施の形態では、ホームポジションより副走査方向に２０ｍｍの位置に光学台１１５を移動する。
【００５４】
次に、ステップＳ７０３では、外乱光検知を行う。これは、原稿照明ランプ１０１が消灯した状態でリニアイメージセンサ１０６によって原稿載置台に照射される外乱光を読み取る。
【００５５】
次に、ステップＳ７０４では、第１開閉センサがＯＮ（原稿押圧板を兼ねる自動原稿送り装置１１１が閉じ途中）であるか否かを判定し、第１開閉センサがＯＦＦと判断された場合はステップ７０３へ進み、ＯＮであると判断された場合は次のステップ７０５へ進む。
【００５６】
次に、ステップＳ７０５では、原稿照明ランプ１０１を点灯する。
【００５７】
次に、ステップＳ７０６では、ステップＳ７０３で得られた外乱光データに対して、所定の閾値によって二値化することで外乱光の有無を判断し、外乱光有りと判断した原稿サイズ検知ポイントを検知から除外すると共に、該原稿サイズ検知ポイントには原稿無しと判断する。
【００５８】
次に、ステップＳ７０７では、原稿照明ランプ１０１を点灯させてから該点灯の安定時間５０ｍｓを経過した後、原稿押圧板を兼ねる自動原稿送り装置１１１が開いている状態としてのリニアイメージセンサ１０６からの読み取り画像による主走査方向の原稿有無検知動作と原稿サイズ検知センサ１１０による副走査方向の原稿有無検知動作を行う。副走査方向の原稿有無データは、原稿サイズ検知センサ１１０から二値化された原稿有無の信号が得られる。主走査方向の原稿有無データは、リニアイメージセンサ１０６からの読み取り画像データに対して所定の画素数の平均化処理を行い、その結果を所定の閾値によって白と黒の二値化データに変換する。
【００５９】
次に、ステップＳ７０８では、ステップＳ７０７で得られた二値化データを（図示しない）ＲＡＭに記憶する。このデータは、原稿押圧板が開いた状態のデータとして原稿押圧板が閉じた状態のデータとの比較データとなる。
【００６０】
次に、ステップＳ７０９では、原稿押圧板を兼ねる自動原稿送り装置１１１が閉じる状態まで、リニアイメージセンサ１０６からの読み取り画像による主走査方向の原稿有無検知動作と原稿サイズ検知センサ１１０による副走査方向の原稿有無検知動作を行い、ステップＳ７０７と同様に二値化データを得る。
【００６１】
次に、ステップＳ７１０では、ステップＳ７０９で得られた二値化データを（図示しない）ＲＡＭに記憶する。このデータは、原稿押圧板が閉じた状態のデータとして原稿押圧板が開いた状態のデータとの比較データとなる。
【００６２】
次に、ステップＳ７１１では、第２開閉センサがＯＮ（原稿押圧板を兼ねる自動原稿送り装置１１１が閉じられた状態）であるか否かを判定し、第２開閉センサがＯＦＦと判断された場合はステップ７０９へ進み、ＯＮであると判断された場合は次のステップ７１２へ進む。
【００６３】
ステップＳ７１２では、図４から図６までの原稿サイズ判定基準に従って、原稿サイズ判定処理を行う。これは、前記ステップＳ７０７における各検知ポイントの白黒判定結果と、原稿押圧板を兼ねる自動原稿送り装置１１１が閉じられた状態での各検知ポイントの最終の白黒判定結果とを比較して、黒から白に変化が有る検知ポイントに対しては「原稿無し」と判定し、それ以外を「原稿有り」と判定する。
【００６４】
そして、各検知エリアについて「原稿有り」の論理和を取り、その結果を各検知エリアの原稿有無検知結果とする。そして、その各検知エリアの原稿有無検知結果から、図３における検知エリア（ｖ）の方向の「原稿有り」が優先され、原稿主走査方向サイズが決定される。そして、この原稿主走査方向サイズの判定結果と副走査方向サイズの検知結果とによって、最終的に原稿サイズを判定する。
【００６５】
その後、ステップＳ７１３で、原稿照明ランプ１０１を消灯し、光学台１１５をホームポジションに戻した後、原稿検知処理動作を終了する。
【００６６】
尚、本実施の形態では、主走査方向の検出エリアを（ｉ）〜（ｖ）の５つのエリアとして説明したが、これに限定されるものではなく、判別すべき原稿サイズに応じて増減される。
【００６７】
また、１つの検出エリアに２つの検知ポイントを配置する構成について説明したが、これに限定されるものではない。
【００６８】
また、検出ポイントの配置位置について、一つは原稿の余白領域を検知するために検知すべき原稿サイズの端部寄りに配置し、もう一つは２つの検知すべき原稿サイズの中間位置に配置したが、これに限定されるものではない。
【００６９】
また、原稿押圧板として自動原稿送り装置を用いる構成について説明したが、原稿押圧板を単純な平板により構成しても良い。
【００７０】
また、本実施の形態では、原稿押圧板が閉じる状態を検知する手段として第２開閉センサを備える構成について説明したが、第２開閉センサを備えずに、スタートキー押下などによる原稿読み取り命令の発生によって原稿押圧板が閉じた状態と判断しても良いし、第１開閉センサのＯＮから所定の時間が経過した時に原稿押圧板が閉じた状態と判断しても良い。
【００７１】
また、本実施の形態では、リニアイメージセンサにＣＣＤを用いる構成について説明したが、コンタクトイメージセンサ（ＣＩＳ）による構成でも同じ効果が得られる。
【００７２】
また、本実施の形態では、白黒のイメージセンサを用いる構成について説明したが、Ｒ，Ｇ，Ｂのカラーイメージセンサによる構成を採用しても良い。この場合は、原稿サイズ判定処理をＲ，Ｇ，Ｂそれぞれについて行い、且つ、それぞれの検出結果の論理積（ＡＮＤ）をとることで、カラー原稿画像の色味に影響しない安定した検出結果が得られる効果がある。
【００７３】
（他の実施の形態）
本発明は、複数の機器（例えば、ホストコンピュータ、インターフェース機器、リーダー、プリンタ等）から構成されるシステムに適用しても、１つの機器からなる装置（例えば、複写機、ファクシミリ装置等）に適用しても良い。
【００７４】
また、上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【００７５】
この場合、記憶媒体から読み出されたプログラムコード自体が上述した実施の形態の機能を実現することになり、そのプログラムコードを記憶した記憶媒体は本発明を構成することになる。
【００７６】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【００７７】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれることは言うまでもない。
【００７８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって上述した実施の形態の機能が実現される場合も含まれることは言うまでもない。
【００７９】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【図面の簡単な説明】
【００８０】
【図１】本発明の実施の形態に係る原稿サイズ検知装置を適用した画像読取装置の構成を示す模式的な側面図である。
【図２】本発明の実施の形態に係る原稿サイズ検知装置を適用した画像読取装置の要部構成を示すブロック図である。
【図３】本発明の実施の形態に係る原稿サイズ検知装置を適用した画像読取装置の原稿載置台上における原稿サイズ判定に用いる検知ポイント、及び、検知エリアを示す上面図である。
【図４】本発明実施の形態に係る原稿サイズ検知装置を適用した画像読取装置における各検知ポイントの検知結果に対応する検知エリアの原稿有無結果を示す説明図である。
【図５】本発明実施の形態に係る原稿サイズ検知装置を適用した画像読取装置における各検知エリアの原稿有無結果に対応する主走査方向の原稿サイズ検知結果を示す説明図である。
【図６】本発明実施の形態に係る原稿サイズ検知装置を適用した画像読取装置における主走査方向の原稿サイズ検知結果と副走査方向の検知結果とによる原稿サイズ判定結果を示す説明図である。
【図７】本発明の実施の形態に係る原稿サイズ検知装置を適用した画像読取装置における原稿サイズ検知処理動作の流れを示すフローチャートである。
【符号の説明】
【００８１】
１００    画像読取装置
１０１    原稿照明ランプ
１０２    第１ミラー
１０３    第２ミラー
１０４    第３ミラー
１０５    レンズ
１０６    リニアイメージセンサ
１０７    原稿載置台
１０８    原稿
１０９    白色板
１１０    原稿サイズ検知センサ
１１１    自動原稿送り装置
１１２    自動原稿搬送ベルト
１１３    駆動ローラ
１１４    原稿束
１１５    光学台
２０１    ＣＰＵ
２０２    ＡＭＰ（増幅器）
２０３    Ａ／Ｄ変換器器
２０４    シェーディング補正回路
２０５    画像加算回路
２０６    主走査加算平均回路
２０７    加算器
２０８    メモリ
２０９    モータ
３０１    原稿サイズラベル
３０２    原稿サイズラベル
３０３    原稿合わせマーク
【図１】
2006135856.tif 000003
【図２】
2006135856.tif 000004
【図３】
2006135856.tif 000005
【図４】
2006135856.tif 000006
【図５】
2006135856.tif 000007
【図６】
2006135856.tif 000008
【図７】
2006135856.tif 000009